(57)【要約】【課題】  雑草の生育を防止して地被植物の確実な植生を図るとともに、移植を容易にする地被植物の植生方法並びにその方法によりできた地被植物マットの提供を図る。【解決手段】  地被植物Ａを植生する方法であって、土壌１０に遮光性シート１１を敷設して覆土し、その上方に植生ネット１２を敷設して覆土し、そこへ地被植物Ａを植え付けることで植生を行う方法である。遮光性シート１１として、古新聞等の古紙を採用し得る。また、上記植え付け植生された地被植物Ａを、植生ネット１２ごと地被植物マット１５として移植箇所へ移植し、さらに植生を行うことも可能である。【選択図】図１
2011010566.tif 000002
【特許請求の範囲】
【請求項１】
地被植物を植生する方法であって、土壌に遮光性シートを敷設して覆土し、その上方に植生ネットを敷設して覆土し、そこへ地被植物を植え付けることで植生が行われることを特徴とする地被植物の植生方法。
【請求項２】
前記地被植物の植生方法において、遮光性シートが、古新聞等の古紙からなることを特徴とする請求項１に記載の地被植物の植生方法。
【請求項３】
前記地被植物の植生方法において、植え付け植生された地被植物を、植生ネットごと移植箇所へ移植した後に、さらに植生が行われることを特徴とする請求項１または請求項２に記載の地被植物の植生方法。
【請求項４】
前記請求項１または請求項２に記載の方法によりできた地被植物マット。
【発明の詳細な説明】
【技術分野】
【０００１】
本発明は、地被植物の植生方法並びに地被植物マットに関し、詳しくは、雑草の生育を防止して確実な植生を図るとともに、移植を容易にする地被植物の植生方法並びにその方法によりできた地被植物マットに関するものである。
【背景技術】
【０００２】
現在における地被緑化の方法は、一般的に、張芝や洋芝の吹付や、直接的な地被植物の植栽によって行なわれている。かかる地被緑化に用いられている地被植物の代表としては、イネ科の暖地型芝草としてノシバ、コウライシバ、バミューダグラス（ティフトンシバ）等、同イネ科の寒地型芝草（冬芝）としてベントグラス類、ブルーグラス類、フェスク類、ライグラス類等、その他の地被植物として地被用草本類、矮性低木類、つる植物類等が中心的に用いられている。
【０００３】
しかしながら、かかる従来の方法によると、地被植物の植生と同時に雑草の繁殖を許すこととなる。地被植物がある程度成長するまでに雑草が繁殖してしまうと、土壌栄養分のほとんどが雑草に取られてしまい、地被植物の植生を阻害することとなる。したがって、該地被植物の成長に合わせて、雑草の繁殖を防止するための植生管理が必要であり、非常にコスト並びに手間のかかるものであった。
【０００４】
【特許文献１】特開２００３−２７４８８号公報
【特許文献２】特開平１１−４６０４号公報
【発明の概要】
【発明が解決しようとする課題】
【０００５】
本発明は、上記問題点を鑑み、雑草の生育を防止して地被植物の確実な植生を図るとともに、移植を容易にする地被植物の植生方法並びにその方法によりできた地被植物マットを提供することを課題としている。
【課題を解決するための手段】
【０００６】
上記課題を達成するために、本発明は、地被植物を植生する方法であって、土壌に遮光性シートを敷設して覆土し、その上方に植生ネットを敷設して覆土し、そこへ地被植物を植え付けることで植生が行われる地被植物の植生方法を採用している。
【０００７】
また、本発明は、前記地被植物の植生方法において、遮光性シートが、古新聞等の古紙からなる構成を採用し得る。
【０００８】
さらに、本発明は、前記地被植物の植生方法において、植え付け植生された地被植物を、植生ネットごと移植箇所へ移植した後に、さらに植生が行われる方法を採用することが可能である。
【０００９】
そしてまた、本発明は、上記した地被植物の植生方法によりできた地被植物マットである。
【発明の効果】
【００１０】
本発明によれば、遮光性シートを用いることにより、地被植物の根部より下方へ太陽光が届くのを防ぐことができるため、雑草の繁殖を効果的に防止することが可能となる。
【００１１】
また、本発明によれば、遮光性シートより被覆された雑草は、太陽光を得られずに枯れ果ててしまうため、既に雑草が生えている場所において、雑草を除去することなしに、そのまま本発明にかかる方法を施工することが可能であり、施工が非常に容易である。
【００１２】
さらに、本発明によれば、植生ネットに地被植物の根部が絡むことで、該植生ネットと地被植物とが一体化して、植物マットとして自由に移植することが可能であり、地被緑化の施工性に資する効果を奏するものである。
【図面の簡単な説明】
【００１３】
【図１】本発明にかかる地被植物の植生方法を示す説明図である。
【図２】本発明にかかる地被植物マットを示す斜視図である。
【発明を実施するための形態】
【００１４】
以下、本発明にかかる地被植物の植生方法並びに地被植物マットの実施形態を、図面に基づき説明する。
【００１５】
図１は、本発明にかかる地被植物の植生方法を示す説明図である。
すなわち、本発明にかかる地被植物の植生方法は、以下の各工程を経てなされる。
【００１６】
まず、土壌１０に遮光性シート１１を敷設する。
敷設場所については、地被緑化を施工する場所に直接敷設してもよく、あるいは、別途地被植物Ａを植生するために用意された場所で行ってもよい。
【００１７】
遮光性シート１１は太陽光を遮るために使用されるもので、該遮光性シート１１が敷設されると、土壌１０におけるそれより下方へは、太陽光が届かないこととなる。したがって、遮光性シート１１より下方においては、あらゆる植生が防止される。
【００１８】
なお、遮光性シート１１の材質については、特に限定するものではなく、太陽光を遮ることが可能であればよい。また、該遮光性シート１１の大きさについては、特に限定するものではなく、一の施工場所全体を一枚の遮光性シート１１により敷設する大きさであってもよく、あるいは、複数枚の遮光性シート１１を組み合わせ一の施工場所全体をカバーする大きさであってもよい。
ところで、該遮光性シート１１については、古新聞等の古紙が考え得る。かかる古紙を使用することにより、古紙の有効利用を促進するとともに、土壌１０中で時間の経過とともに分解されて自然（土壌１０）へ還るため、環境的にも優しい材質選択となる。
【００１９】
遮光性シート１１を敷設した後、その上から土壌１０により覆土を行う。
次いで、その上に植生ネット１２を敷設する。
該植生ネット１２は、地被植物Ａの根部Ａ１を絡ませるためのものであって、該地被植物Ａの根部Ａ１が絡み易いよう、網状あるいは格子状となっている。
【００２０】
なお、植生ネット１２の材質については、特に限定するものではないが、例えば、生分解性樹脂などが考え得る。また、該植生ネット１２の大きさ・形状については、特に限定するものではなく、移植性等を考慮して適宜決定される。例えば、一辺が約1ｍ四方の正方形状や、幅１ｍ・長さ２ｍの長方形状などが考え得る。
【００２１】
植生ネット１２を敷設した後、その上から再度土壌１０により覆土を行う。
以上の工程を経てできた土壌１０に、地被植物Ａを植え付け、植生を行うこととなる。
【００２２】
植え付けられる地被植物Ａについては、特に限定するものではなく、例えば、ツルマンネングザやリュウノヒゲ、ユキノシタなど多種多様な地被植物Ａの中から、適宜最適な植種を選択すればよい。
【００２３】
また、該地被植物Ａを、種の段階から土壌１０へ播種してもよく、あるいは、育苗された地被植物Ａの苗株を土壌１０へ植え付けてもよい。
【００２４】
以上の工程を経ることで、本発明にかかる地被植物の植生方法がなされる。最終的に植生が行われた地被植物Ａは、遮光性シート１１により周辺に雑草が生えることなく、その根部Ａ１が植生ネット１２に絡んだ状態となる。
【００２５】
なおこのとき、上記した本発明の施工場所が地被緑化を要する場所でなく、別途用意された場所であった場合、地被植物Ａの根部Ａ１が絡んだ植生ネット１２ごと上方へ持ち上げ、これを地被植物マット１５として地被緑化を要する場所へ自由に移植することが可能である。図２は、本発明にかかる地被植物マット１５を示す斜視図である。
すなわち、あらかじめ用意された地被植物Ａの植生用地で本発明を施工し、必要に応じて地被緑化場所へ移植することを可能ならしめるものであり、施工性の向上に資するものである。
【００２６】
以上、本発明にかかる地被植物Ａの植生方法並びに地被植物マット１５において、上記列記した工程を経る以外は、植生環境や植生期間等について、特に限定するものではなく、選択された地被植物Ａの植種に合わせて、適宜決定される。
【産業上の利用可能性】
【００２７】
本発明は以上の通りであって、従来の地被緑化方法と比較して、雑草の繁殖の抑制を実現するとともに、移植性の向上に成功したことが最大の効果であるといえる。すなわち、本発明にかかる地被植物の植生方法が、遮光性シート１１を用いることにより、土壌１０中における地被植物Ａの根部Ａ１より下方への太陽光を遮ることで、地被植物Ａ周辺における雑草の繁殖を抑制することが可能となり、また、植生ネット１２を用いることにより、地被植物Ａの根部Ａ１が該植生ネット１２に絡んで一体化して、地被植物マット１５として自由に移植することが可能であるといった、従来技術では為し得なかった優れた効果を奏するものであって、かつ、実用化容易であり、本発明の産業上の利用可能性は大きいと考えられる。
【符号の説明】
【００２８】
１０    土壌装置
１１    遮光性シート
１２    植生ネット
１５    地被植物マット
Ａ    地被植物
Ａ１  根部
【図１】
2011010566.tif 000003
【図２】
2011010566.tif 000004